(57)【特許請求の範囲】
【請求項１】
物品の２つの側部を接合させるためのカム及びストラップに基づくシステムであって、
ストラップを受け入れるように構成されるハウジングを含み、該ハウジングは、該ハウジング内に設けられるトラックインサートを含み、該トラックインサートは、前記ストラップを受け入れるように構成され、
前記ストラップは、前記ハウジング及び前記トラックインサート内に送り込まれるように構成され、前記ストラップは、カムに係合するように構成されるストラップピンを含み、前記ストラップは、ガイド部を含み、
前記ストラップの前記ガイド部と係合するよう構成されるストラップ付着要素を含み、
前記カムは、少なくとも１つの螺旋を含み、前記カムは、前記ストラップピンを引っ張るように構成され、
前記カムを回転させるように構成されるノブを含み、締付け方向における前記ノブの回転は、前記ストラップが前記ストラップ付着要素を引っ張って前記物品の前記２つの側部を互いに向う方向に導くよう、前記カムに前記ストラップピンを引っ張らせる、
システム。
【請求項２】
前記少なくとも１つの螺旋が減少された数のストラップピンに係合されるよう、前記少なくとも１つの螺旋を離すために、前記トラックインサートは、前記カムから前記ストラップを引っ張るよう構成される、請求項１に記載のシステム。
【請求項３】
前記カムは、線速度及び一定の接触角で前記ストラップピンを引っ張るよう構成される、請求項１に記載のシステム。
【請求項４】
前記トラックインサートは、さらに、案内構成部品を含む、請求項２に記載のシステム。
【請求項５】
前記案内構成部品は、Ｓ形状である、請求項４に記載のシステム。
【請求項６】
前記カムは、一定の接触角で前記ストラップピンを引っ張るように構成され、前記一定の接触角は、自動係止的であり、前記ノブが回転されないとき、該自動係止は、前記ストラップが前記ハウジングから内向き方向に引っ張れるのを阻止する、請求項１に記載のシステム。
【請求項７】
前記一定の接触角は、約０度と約２０度との間である、請求項３に記載のシステム。
【請求項８】
前記一定の接触角は、約１０度と約１２度との間である、請求項７に記載のシステム。
【請求項９】
前記ノブ上で感知されるトルクは、一定である、請求項１に記載のシステム。
【請求項１０】
前記ノブは、無限に調節可能である、請求項１に記載のシステム。
【請求項１１】
前記ストラップは、さらに、少なくとも１つの傾斜路を含む、請求項１に記載のシステム。
【請求項１２】
前記ストラップは、さらに、面取りを含む、請求項１に記載のシステム。
【請求項１３】
前記ストラップの移動を示す可聴のクリック音をもたらす回り止めをさらに含む、請求項１に記載のシステム。
【請求項１４】
当該システムを係止するよう構成される二次的な摩擦素子をさらに含み、前記ノブが回転されないとき、前記係止は、前記ストラップが前記ハウジングから内向き方向に引っ張られるのを阻止する、請求項１に記載のシステム。
【請求項１５】
前記二次的な摩擦素子は、回り止めを含む、請求項１４に記載のシステム。
【請求項１６】
前記二次的な摩擦素子は、ボタンを含む、請求項１４に記載のシステム。
【請求項１７】
前記ストラップを離すために、前記カムを上向き方向に引っ張るように構成される波形座金をさらに含む、請求項１に記載のシステム。
【請求項１８】
前記ストラップを離すために、前記カムを上向き方向に引っ張るように構成されるバネをさらに含む、請求項１に記載のシステム。
【請求項１９】
前記ノブは、解放直後に前記ストラップに対して前記カムを押すように構成される、請求項１７に記載のシステム。
【請求項２０】
少なくとも１つの回り止めをさらに含む、請求項１７に記載のシステム。
【請求項２１】
バネをさらに含み、前記ストラップピンの少なくとも１つは、斜面付きである、請求項１に記載のシステム。
【請求項２２】
前記カムは、前記斜面付きストラップピンが前記少なくとも１つの螺旋と噛み合わされるとき、前記斜面付きストラップピンを乗り越えるように構成される、請求項２１に記載のシステム。
【請求項２３】
前記ストラップピンは、前記ストラップに対して約９０度である、請求項１に記載のシステム。
【請求項２４】
前記ストラップピンの少なくとも１つは、駆動側で斜面付きであり、前記少なくとも１つの螺旋は、斜面付きである、請求項１に記載のシステム。
【請求項２５】
前記カムは、所定荷重で過荷重を防止するよう、前記ストラップを解放するように構成される、請求項２４に記載のシステム。
【請求項２６】
請求項１に記載のシステムを含む靴。
【請求項２７】
請求項１に記載のシステムを含むサンダル。
【請求項２８】
請求項１に記載のシステムを含むヘルメット。
【請求項２９】
請求項１に記載のシステムを含む医療ブレース。
【請求項３０】
請求項１に記載のシステムを含むパック。
【請求項３１】
請求項１に記載のシステムを含むフットボールパッド。
【請求項３２】
請求項１に記載のシステムを含むスノーボード結合器。
【請求項３３】
請求項１に記載のシステムを含む手袋。
【請求項３４】
請求項１に記載のシステムを含むベルト。
【請求項３５】
前記ストラップ付着要素は、前記ストラップから取り外し可能である、請求項１に記載のシステム。
【請求項３６】
前記ストラップ付着要素は、当該カム及びストラップに基づくシステムのための急速な解放をもたらすよう構成される、請求項３５に記載のシステム。
【請求項３７】
前記ストラップ付着要素は、留め金、バックル、又はフックを含む、請求項１に記載のシステム。
【請求項３８】
前記ストラップ付着要素は、細長い可撓な部材を含む、請求項１に記載のシステム。
【請求項３９】
前記物品の前記２つの側部の間に延びる締め紐を含み、該締め紐の締付けは、前記物品の前記２つの側部を互いに向かう方向に導く、請求項１に記載のシステム。
【請求項４０】
前記ガイド部は、前記ストラップの端にある、請求項１に記載のシステム。
【請求項４１】
前記ストラップ付着要素は、前記物品の前記２つの側部のための粗移動機構を提供し、前記ストラップを調節する前記ノブの回転は、前記物品の前記２つの側部のための微調整をもたらす、請求項１に記載のシステム。
【請求項４２】
前記ハウジングは、前記物品の第１の側に結合され、前記ストラップ付着要素は、前記物品の第２の側に結合される、請求項１に記載のシステム。
【請求項４３】
前記少なくとも１つの螺旋は、対数螺旋を含む、請求項１に記載のシステム。
【発明の詳細な説明】
【技術分野】
【０００１】
（優先権主張及び参照による組み込み）
本出願は、（「閉塞システム」と題する）２００８年１月１８日に出願された米国仮特許出願第６１／０２２，０４５号の利益を主張する。
【０００２】
本出願は、（「閉塞システム」と題する）２００８年１月１８日に出願された米国仮特許出願第６１／０２２，０４５号の全開示を参照によって組み込む。
【０００３】
この開示は、閉塞システムの分野に関する。より具体的には、この開示は、螺旋を使用するカム組立体及びストラップに基づく閉塞システムの方法及びシステムに関する。
【背景技術】
【０００４】
今日の閉塞システムに伴う有意な問題は、それらが自動係止機構を欠くことである。無限に調節可能であり自動係止する閉塞システムを創成することは、特に問題である。その上、ノブによって感知されるトルクが一定である閉塞システムを創成することは、特に問題である。
【０００５】
他の問題は、閉塞システムが、ストラップから離れる方向にカムを梃子で持ち上げる力を創成することであり、それはシステムの強度を低下する。更に他の問題は、ストラップが緩められるときにストラップがカム組立体から完全に抜け落ちることを、閉塞システムが阻止しないことである。
【発明の概要】
【発明が解決しようとする課題】
【０００６】
これらの発明は、これらの問題の少なくとも一部に対処することを探求する。
【課題を解決するための手段】
【０００７】
これらの発明の一部の実施態様は、物品の２つの側を接合させるためのカム組立体及びストラップに基づくシステムを提供する。システムは、物品の多数の側を接合させ、２つの物体を接合させ、且つ／或いは、多数の物品を接合させ、且つ／或いは、互いから離れる方向に導くためにも使用され得る。一部の実施態様において、カム組立体及びストラップに基づく閉塞システムは、対数螺旋を使用し得る。使用者がストラップをカム組立体内に挿入し、ノブを回転させると、ストラップはカム組立体内に駆動される。一部の実施態様において、ストラップ上のピンは、カム組立体内でカム螺旋と係合する。カム螺旋が、カム組立体内のストラップピンの総数と比べて減少された数のストラップピンに係合されるようストラップを離すために、トラックインサートがカムから離れる方向にストラップを引っ張り得る。
【０００８】
一部の実施態様において、１つ又はそれよりも多くの対数螺旋は、ストラップピンを常に一定の角度で係止させ、しばしば自動係止的である。自動係止的であることに加えて、システムは無限に調節可能であり得るし、ノブによって感知されるトルクは一定であり得る。カムとストラップとの間の接触角を所望に変更し得る。一部の実施態様において、より低い接触角はシステムを自動係止的にする。一部の実施態様では、１つよりも多くの螺旋を使用し得る。一部の実施態様ではアルキメデス螺旋のような異なる螺旋を使用し得る。一部の実施態様において、より高い接触角は、ストラップがより急速にカム組立体内に駆動されることを可能にし得る。一部の実施態様では、より高い接触角でさえもシステムを自動係止的にするために、二次的な摩擦素子、例えば、カムの底部又は周縁上の回り止め又はボタンを使用し得る。追加的に、移動の可聴な表示をもたらすよう可聴なクリック音をもたらすために回り止めシステムを使用し得る。
【０００９】
一部の実施態様において、システムは、最大強度のためにストラップピンをカム組立体内にカムと平行に導き、次に、ゆっくりと制御された方法でカムから離れる方向にストラップを屈曲する、トラックインサート上の案内構成部品を使用し得る。案内構成部品又は反返り機構はトンネルであり得るし、且つ／或いは、ストラップピンを駆動するストラップをカム螺旋から離れる方向に引っ張るＳ形状屈曲及び／又は円弧であり得る。一部の実施態様では、この解放が起こるための空間を許容するために、螺旋の中心部分を取り除き得る。この案内構成部品は、ハウジングの可能な最低の高さ及び／又はプロファイルを提供する点で特に有用である。案内構成部品は、ストラップがカムに引っかからずにカム組立体内に送り込まれることも許容する。
【００１０】
一部の実施態様では、ノブがストラップを駆動してカム組立体から外に出すときにストラップがカム組立体から完全に送り出されることを阻止し或いは妨げるようにシステムを構成し得る。例えば、一部の実施態様では、ストラップピンの端部に達するや否や、ストラップは所定場所に歯止され得る。ストラップをカム組立体内に保持することは、ストラップを直ぐに駆動してカム組立体内に戻すためにノブを回転し得るような位置を維持する。カム螺旋と係合させるようストラップをカム組立体内に手動で押す必要を回避するために、これは特に有用である。
【００１１】
一部の実施態様では、より速い操作のためにストラップの急速解放及び／又は迅速挿入を許容するようにシステムを構成し得る。ストラップからカムを離すために、使用者が、例えば、波形座金及び／又はバネに対してノブを引き上げることを可能にするようにシステムを構成し得る。ノブが解放されるとき、カムはストラップに対して付勢され戻る。カムがストラップピンと整列されないならば、ノブは再び回転され、ストラップピンは再係合される。閉塞システムのより速い操作のためにストラップの急速解放及び／又は迅速挿入を促進するために、これは特に有用である。加えて、一部の実施態様では、ノブ及び／又はカムを解放位置にスナップ留めし、次に、ストラップを駆動する位置に直接的に下向きにスナップ留めするよう、システムに回り止めを付け得る。
【００１２】
一部の実施態様では、斜面付きストラップピン並びに波形座金及び／又はバネのような付勢部材を提供することによって、迅速挿入を達成し得る。ストラップがカム組立体内に挿入されると、カムは斜面付きストラップピンを飛び越え又は通り越し得る。斜面付きストラップピンが斜面付きカム螺旋と結合されるとき、飛越え又は通越しを促進し得る。これは閉塞器がゆっくりと開くことを可能にするのに特に有用であるが、ストラップの急速前進又は挿入を可能にするのにも特に有用である。一部の実施態様では、最大強度及び保持のために、ストラップピンの張力側を約９０度に維持し得る。
【００１３】
一部の実施態様では、強度及び安全性のために、システムに加えられる過荷重の力を管理するようにシステムを構成し得る。例えば、ストラップピン及びカム螺旋の駆動側に斜面を付けることによって、所定荷重でシステムの過荷重を防止するためにストラップを持ち上げ且つ解放するようにノブ及びカムを構成し得る。これは、例えば、ヘルメット、帽子、又は、他の衣服又はアクセサリ用途において特に有用である。
【００１４】
一部の実施態様において、システムは、調節メモリを含み得る。カムは無限に調節可能であり得るし、特定の使用のための理想的な適合のための特定の位置に残され得る。使用者が粗移動機構、例えば、留め金（クラスプ）、バックル（締め金）、フック、又は、ラッチを解放すると、カム内の調節又は位置は記憶され或いは保持される。粗移動機構は、幾らかの遊びが、解放のために生成されることを可能にし、閉塞システムが、ストラップを調節するために保持され得る微調整であることを可能にし得る。粗移動機構は、一部の実施態様において、急速解放及び／又は迅速挿入のために特に有用であり得る。
【００１５】
システムは、ベルクロ（Velcro）（登録商標）の置換として特に有用である。様々な用途は、帯状閉塞器を含む靴、ストラップを含むサンダル、ヘルメット、医療用ブレース、パック、荷重を縛り付けること、すね当て及びフットボールパッドを含む保護パッド、スノーボード結合器、手袋、及び、ベルトを含む。
【００１６】
一部の実施態様において、物品の２つの側部を接合させるためのカム組立体及びストラップに基づくシステムが提供される。システムは、ストラップを受け入れるよう構成されるハウジングを含み得る。一部の実施態様において、ハウジングは、ストラップを受け入れるよう構成されるストラップインサートを含む。ストラップは、ハウジング及びトラックインサート内に送り込まれるよう構成され得るし、カム内で係合するよう構成されるストラップピンを含み得る。カムは少なくとも１つの螺旋を含み得る。ストラップピンを引っ張るようカムを構成し得る。システムは、さらに、カムを回転させるよう構成されるノブを含み得る。
【００１７】
一部の実施態様において、２つの物体を互いに向かう方向に引くための方法が提供される。方法は、ストラップを受け入れるよう構成されるハウジングを提供することを含み得る。一部の実施態様において、ハウジングは、ストラップを受け入れるよう構成されるトラックインサートを含み得る。ハウジング及びトラックインサート内に送り込まれるようにストラップを構成し得る。ストラップは、カム内で係合するよう構成されるストラップピンを含み得る。方法は、さらに、ストラップピンを引っ張るようカムを構成することを含み、カムは少なくとも１つの螺旋を含み得る。方法は、さらに、カムを回転させるよう構成されるノブを提供することを含み得る。ハウジング、カム、及び、ノブを第一物体上に位置付け得る。ストラップを第二物体上に位置付け得る。第一物体及び第二物体を互いに向かう方向に引っ張るためにハウジング内にストラップを駆動するようにノブを回転し得る。
【００１８】
一部の実施態様において、２つの物体を互いから離れる方向に引くための方法が提供される。方法は、ストラップを受け入れるよう構成されるハウジングを提供することを含み得る。一部の実施態様において、ハウジングは、ストラップを受け入れるように構成されるストラップインサートを含み得る。ハウジング及びトラックインサート内に送り込まれるようストラップを構成し得る。ストラップは、カム内で係合するように構成されるストラップピンを含み得る。方法は、さらに、ストラップピンを引っ張るようにカムを構成することを含み得る。その場合には、カムは少なくとも１つの螺旋を含み得る。方法は、さらに、カムを回転させるように構成されるノブを提供することを含み得る。ハウジング、カム、及び、ノブを第一物体上に位置付け得る。ストラップを第二物体上に位置付け得る。第一物体及び第二物体を互いから離れる方向に押すためにハウジングから離れる方向にストラップを駆動するようにノブを回転し得る。
【００１９】
これらの発明の一部の実施態様は、カムハウジング内での使用に適したストラップを含み、ストラップは、物品を締付けること、物品を圧縮すること、物品を緩めること、２つの物品を共に引っ張ること、２つの物品を押して離すこと、物品の２つの側を互いに向かう方向に引っ張ること、又は、物品の２つの側を互いから離れる方向に押すことのために有用である。ストラップは、近位端部と、遠位端部と、近位端部付近の螺旋係合部材又はストラップピンと、近位端部と複数の螺旋係合部材の第一の螺旋係合部材との間の、カムハウジングへのストラップの出入りを妨げるためのストップとを含み得る。適切な方向でストラップに加えられる十分な力を条件としてカムハウジングへの出入りを許容するために潰れるようにストップを構成し得る。ストラップは、１つ又はそれよりも多くの孔と、ストラップと同じ平面内に延びる１つ又はそれよりも多くのの拡張部とを含み得ることで、１つ又はそれよりも多くの拡張部は、１つ又はそれよりも多くの孔内で潰れ、ストラップがカムハウジング内に出入りすることを可能にする。拡張部は、代替的に、ストラップと異なる平面内に延びる。例えば、拡張部がハウジングの一部と接触し、ハウジングからのストラップの挿入又は引出しを妨げるよう、例えば、拡張部はストラップの表面から上向きに延び得る。これらの平面から離れる拡張部は、（もしそれらがストラップ平面から上向きに延びるならば）実質的に下向きに或いは（もしそれらがストラップ平面から下向きに延びるならば）実質的に上向きに潰れ、ハウジングへの出入りを可能にする。１つ又はそれよりも多くの拡張部は、それらの近位縁部及び／又は遠位縁部に傾斜又は面取りを備え得ることで、それらはハウジングに対する幾らかの摺動を促進し、それによって、それらは、究極的には、ストラップに加えられる十分な力を条件として、ハウジングへのストラップの出入りを可能にする。一部の実施態様では、ストラップが取り外されるときよりもストラップが挿入されるときに、１つ又はそれよりも多くの拡張部を圧縮するのにより少ない力が必要とされるよう、拡張部の近位縁部の角度又は面取りは、ストラップの縁部又は表面から測定されるときに遠位端部の角度未満である。一部の実施態様は、全ての螺旋係合部材がハウジングの螺旋領域から解放されるや否や、この面取り付き表面と係合することを試みる螺旋がその表面を滑り落ち、ストラップがハウジングから出ることを螺旋によって強制されないよう、第一螺旋係合部材の上に面取り表面を含み、面取りの角度は、ストラップの近位端部に面する螺旋係合部材の側にある。先導面取り表面は、適切に構成されたハウジング内へのストラップの迅速挿入も可能にし得る。一部の実施態様は、最終又は最遠位螺旋係合部材が螺旋を通過するや否や、ストラップがハウジングを自由に通過することを防止するために、最遠位螺旋係合部材付近に上記されたようなストップを含み得る。例えば、圧縮され得ない１つ又はそれよりも多くの外向き拡張部を含めることによるように、ハウジングを通じるストラップの更なる移動を完全に阻止するようにストップを構成し得る。一部の実施態様は、ストラップがハウジングを所定長さ通過するや否や、螺旋表面が最遠位螺旋係合部材を滑り落ちるよう、最遠位螺旋係合部材の上に遠位対向面取り表面を含み得る。一部の実施態様において、ストラップは、その遠位端部に、遠位端部を物品に付着するために構成される部分を含み得る。一部の実施態様において、この部分は、例えば図面中に示されるようなフック又は他の装置と嵌合い係合のための孔として構成される。一部の実施態様において、ストラップの近位端部はハウジングに付着するのに対し、遠位端部は物品に付着する。一部の実施態様において、１つ又はそれよりも多くの螺旋係合部材又はストラップピンは、螺旋の係合表面の一方又は両方と実質的に同じ平面内に、螺旋係合表面を含む。これらの発明の一部の実施態様は、ここに開示される機能の１つ又はそれよりも多くを備えるストラップを有する物品を含む。これらの物品は、靴、ブーツ、サンダル、保護用品、圧縮ストラップ、パック、バックパック、運動用品、様々なスポーツ用のすね当て又は他の防具、手袋、帽子、縁なし帽子、ヘルメット、水和パック等を含むが、これらに限定されない。
【００２０】
これらの発明の一部の実施態様は、ストラップとの使用に適したカムハウジングを含み、ハウジングは、物品を締め付け、物品を圧縮し、物品を緩め、２つの物品を共に引っ張り、２つの物品を押して離し、物品の２つの側を互いに向かう方向に引っ張り、又は、物品の２つの側を互いに離れる方向に押すために有用である。ハウジングは、ストラップの挿入を可能にする入口と、ストラップがハウジングの他の側を通過することを可能にする出口とを含んでよく、入口は、出口と異なる平面にある。ハウジングは、１つ又はそれよりも多くの螺旋に結合され得るノブを含んでよく、ノブ／螺旋の組み合わせは、ハウジングを通じてストラップを両方向に駆動するよう構成される。一部の実施態様において、螺旋は、対数螺旋であり、対数螺旋は、ストラップがハウジング内で自動係止するよう、ストラップがハウジングに出入りするときに、ストラップの１つ又はそれよりも多くの部分と一定の接触角を維持し、その場合には、ストラップは、ノブの回転がなければ、ハウジングに出入り移動しない。一部の実施態様では、２つの螺旋又は螺旋区画、３つの螺旋又は螺旋区画、４つの螺旋又は螺旋区画、５つの螺旋又は螺旋区画、より多くの螺旋又は螺旋区画が含まれる。螺旋又は螺旋区画の数を増大することは、螺旋又は螺旋区画の回転毎にハウジングに取り込まれ或いはハウジングから押し出されるストラップの量を増大する。ハウジングは、ストラップがハウジングを通過するときにストラップを物品から絶縁するストラップ通路を含んでよく、ストラップ通路は、（物品に最も近い）ハウジングの底部付近にフロアを含み、ストラップがハウジングを通過するときに、ストラップはフロアの上を及び／又はフロアに亘って移動する。ハウジングは、ハウジングとは別個に形成されるインサートを含んでよく、インサートは、ハウジングと結合されるとき、ハウジング入口を通じてハウジングに入るストラップを入口の平面から外れ、入口と異なる平面上にあるハウジングの出口に向かうようにストラップを方向付ける。一部の実施態様において、インサートは、別個に形成されるよりもむしろ、ハウジングと一体的に形成され得る。一部の実施態様において、ハウジングは、１つ又はそれよりも多くの螺旋に結合されるノブを含み、ノブはハウジングから離れる方向に及びハウジングに戻る方向に移動されるように構成され、ストラップの急速挿入又は解放を許容する。一部の実施態様において、ハウジング及び／又はノブは、ノブをハウジングから離れて或いはハウジングに対して或いはハウジングに隣接して保持する回り止め又は他の部材を含む。一部の実施態様において、ハウジングは、付勢部材を含み、付勢部材は、ノブ及び螺旋をハウジングに対して或いはハウジングに隣接して付勢する。一部の実施態様において、ハウジングは、付勢に抗してハウジングから離れる方向にノブを保持するように構成される回り止め又は他の部材を含む。これらの発明の一部の実施態様は、ここに記載される機能の１つ又はそれよりも多くを備えるカムハウジングを有する物品を含む。これらの物品は、靴、ブーツ、サンダル、保護用品、圧縮ストラップ、パック、バックパック、運動用品、様々なスポーツ用のすね当て又は他の防具、手袋、帽子、縁なし帽子、ヘルメット、水和パック等を含むが、これらに限定されない。
【００２１】
これらの発明の一部の実施態様は、カムハウジングと、ストラップとを含み、ハウジング及びストラップの組み合わせは、物品を締め付け、物品を圧縮し、物品を緩め、２つの物品を共に引っ張り、２つの物品を押して離し、物品の２つの側を互いに向かう方向に引っ張り、又は、物品の２つの側を互いに離れる方向に押すために有用である。一部の実施態様において、カムハウジングは、ここに記載される機能の１つ又はそれよりも多くを含む。一部の実施態様において、ストラップは、ここに記載される機能の１つ又はそれよりも多くを含む。一部の実施態様は、ストラップがハウジングを通過するが、ストラップがそれ自体の上に２つ折りにならないよう構成される。そのような訳で、一部の実施態様では、係合前及び係合中に、カムハウジング及びストラップの１つの層のストラップがあるだけである。一部の実施態様において、ハウジングは、操作されるべき物品の一部に付着され、ストラップ自体には付着されない。一部の実施態様において、ストラップ及びハウジングは、ハウジングと係合されるストラップの第一端部及びハウジングから分離されたままであるストラップの第二端部と係合されるとき、完全なリングを形成しない。一部の実施態様において、ハウジングは、ストラップの上に乗らない。これらの発明の一部の実施態様は、ここに記載される機能の１つ又はそれよりも多くを備えるカムハウジングとストラップとを有する物品を含む。これらの物品は、靴、ブーツ、サンダル、保護用品、圧縮ストラップ、パック、バックパック、運動用品、様々なスポーツ用のすね当て又は他の防具、手袋、帽子、縁なし帽子、ヘルメット、水和パック等を含むが、これらに限定されない。
【００２２】
これらの発明の一部の実施態様は、カムハウジング及びストラップを使用して、物品を締め付け、物品を圧縮し、物品を緩め、２つの物品を共に引っ張り、２つの物品を押して離し、物品の２つの側を互いに向かう方向に引っ張り、又は、物品の２つの側を互いに離れる方向に押す方法を含む。一部の実施態様において、カムハウジングは、ここに記載される機能の１つ又はそれよりも多くを含む。一部の実施態様において、ストラップは、ここに記載される機能の１つ又はそれよりも多くを含む。一部の実施態様において、カムハウジング及びストラップの組み合わせは、ここに記載される機能の１つ又はそれよりも多くを含む。一部の実施態様において、方法は、ハウジングを通じてストラップを駆動するためにハウジングに取り付けられるノブを回転させるステップを含む。ノブを回転することは、ノブに結合される１つ又はそれよりも多くの螺旋の１つ又はそれよりも多くの係合表面を、ストラップ上の１つ又はそれよりも多くの螺旋係合部材又はストラップピンの１つ又はそれよりも多くの係合表面に摺動的に結合させ、摺動結合は、ストラップをハウジング内に引っ張り或いはストラップをハウジングから押し出し、物品の締付け又は圧縮、物品を緩めること、２つの物品を共に引っ張ること、２つの物品を押して離すこと、物品の２つの側を互いに向かう方向に引っ張ること、又は、物品の２つの側を互いに離れる方向に押すことを引き起こす。一部の実施態様において、方法は、さらに、ストラップの近位端部をハウジング内に先ず挿入するステップを含み、ストラップは、近位端部付近にストップを有し、ストップは抵抗をもたらし、第一螺旋係合部材上の係合表面がハウジング内部の複数の螺旋の１つの係合表面と接触し得るよう、ストラップをハウジング内に挿入することを比較的困難にする。方法は、螺旋係合部材をハウジング内部の螺旋と接触させるようストップを克服する十分な力でハウジング内に挿入されるストラップを含む。一部の実施態様において、ノブは、ハウジングから離れる方向に引っ張られ、ストラップの容易な挿入又は取外しを可能にする。一部の実施態様では、ハウジング内へのストラップの挿入直後、先導又は最近位螺旋係合部材上の面取り付き表面を含むストラップが、ノブ、よって、ノブに結合されるあらゆる螺旋をハウジングから離れる方向に一時的に移動させ、ストラップがハウジングに入ることを許容するよう、ノブはハウジングに向かう方向に移動可能に付勢され、その場合、ストラップは、ノブがハウジングに向かう方向に移動して戻った後のノブの回転によって、ハウジング内に更に引っ張られるべき位置にある。一部の実施態様において、これらの方法は、例えば、靴、ブーツ、サンダル、保護用品、圧縮ストラップ、パック、バックパック、運動用品、様々なスポーツ用のすね当て又は他の防具、手袋、帽子、縁なし帽子、ヘルメット、水和パック等に関して使用される。
【００２３】
この概要も後続の詳細な記載も、本発明を定めることを目的としていない。これらの発明は、請求項によって定められる。
【００２４】
以下に要約される図面を参照して、これらの及び他の機能を今や記載する。これらの図面及び関連する記載は、本発明の範囲を限定するためではなく、本発明の一部の実施態様を例証するために提供される。
【図面の簡単な説明】
【００２５】
【図１】本発明の一部の実施態様に従った、螺旋を使用してカム組立体及びストラップに基づく閉塞システムを実施するための一組の構成部品を示す斜視図である。
【図２Ａ】本発明の一部の実施態様に従った、図１のカム組立体及びストラップに基づく閉塞システムを示す側面図である。
【図２Ｂ】本発明の一部の実施態様に従った、図１のカム組立体及びストラップに基づく閉塞システムを示す頂面図である。
【図２Ｃ】本発明の一部の実施態様に従った、図１のカム組立体及びストラップに基づく閉塞システムを示す底面図である。
【図３Ａ】本発明の一部の実施態様に従った、図１のカムを示す頂面図である。
【図３Ｂ】本発明の一部の実施態様に従った、図１のカムを示す底面図である。
【図３Ｃ】本発明の一部の実施態様に従った、図１のカムを示す斜視図である。
【図３Ｄ】本発明の一部の実施態様に従った、図１のカムを示す底面図である。
【図４Ａ】本発明の一部の実施態様に従った、図１のストラップを示す斜視図である。
【図４Ｂ】本発明の一部の実施態様に従った、図１のストラップを示す頂面図である。
【図５Ａ】本発明の一部の実施態様に従った、図１のトラックインサートを示す斜視図である。
【図５Ｂ】本発明の一部の実施態様に従った、図１のトラックインサートを示す頂面図である。
【図５Ｃ】本発明の一部の実施態様に従った、図１のトラックインサートを示す側面図である。
【図６Ａ】本発明の一部の実施態様に従った、図１のハウジングを示す斜視図である。
【図６Ｂ】本発明の一部の実施態様に従った、図１のハウジングを示す側面図である。
【図６Ｃ】本発明の一部の実施態様に従った、図１のハウジングを示す頂面図である。
【図６Ｄ】本発明の一部の実施態様に従った、図１のハウジングを示す底面図である。
【図７】本発明の一部の実施態様に従った、図１のノブを示す斜視図である。
【図８】本発明の一部の実施態様に従った、図７のノブのオーバーモールドを示す底面図である。
【図９Ａ】本発明の一部の実施態様に従った、図７のノブのアンダーモールドを示す斜視図である。
【図９Ｂ】本発明の一部の実施態様に従った、図７のノブのアンダーモールドを示す底面図である。
【図１０Ａ】本発明の一部の実施態様に従った、図１のストラップが図１のカム組立体内に駆動されるときの、図４Ａのストラップピンと図３Ｃのカム螺旋との係合を示すフロー図である。
【図１０Ｂ】本発明の一部の実施態様に従った、図１のストラップが図１のカム組立体内に駆動されるときの、図４Ａのストラップピンと図３Ｃのカム螺旋との係合を示すフロー図である。
【図１０Ｃ】本発明の一部の実施態様に従った、図１のストラップが図１のカム組立体内に駆動されるときの、図４Ａのストラップピンと図３Ｃのカム螺旋との係合を示すフロー図である。
【図１０Ｄ】本発明の一部の実施態様に従った、図１のストラップが図１のカム組立体内に駆動されるときの、図４Ａのストラップピンと図３Ｃのカム螺旋との係合を示すフロー図である。
【図１０Ｅ】本発明の一部の実施態様に従った、図１のストラップが図１のカム組立体内に駆動されるときの、図４Ａのストラップピンと図３Ｃのカム螺旋との係合を示すフロー図である。
【図１０Ｆ】本発明の一部の実施態様に従った、図１のストラップが図１のカム組立体内に駆動されるときの、図４Ａのストラップピンと図３Ｃのカム螺旋との係合を示すフロー図である。
【図１１Ａ】本発明の一部の実施態様に従った、図１のストラップが図１のカム組立体から外に駆動されるときの、図４Ａのストラップピンと図３Ｃのカム螺旋との係合を示すフロー図である。
【図１１Ｂ】本発明の一部の実施態様に従った、図１のストラップが図１のカム組立体から外に駆動されるときの、図４Ａのストラップピンと図３Ｃのカム螺旋との係合を示すフロー図である。
【図１１Ｃ】本発明の一部の実施態様に従った、図１のストラップが図１のカム組立体から外に駆動されるときの、図４Ａのストラップピンと図３Ｃのカム螺旋との係合を示すフロー図である。
【図１１Ｄ】本発明の一部の実施態様に従った、図１のストラップが図１のカム組立体から外に駆動されるときの、図４Ａのストラップピンと図３Ｃのカム螺旋との係合を示すフロー図である。
【図１１Ｅ】本発明の一部の実施態様に従った、図１のストラップが図１のカム組立体から外に駆動されるときの、図４Ａのストラップピンと図３Ｃのカム螺旋との係合を示すフロー図である。
【図１１Ｆ】本発明の一部の実施態様に従った、図１のストラップが図１のカム組立体から外に駆動されるときの、図４Ａのストラップピンと図３Ｃのカム螺旋との係合を示すフロー図である。
【図１２】本発明の一部の実施態様に従った、医療ブレース上の図１のカム組立体及びストラップに基づく閉塞システムの使用を示す図面である。
【図１３】本発明の一部の実施態様に従った、パック上の図１のカム組立体及びストラップに基づく閉塞システムの使用を示す図面である。
【図１４】本発明の一部の実施態様に従った、ベルト上の図１のカム組立体及びストラップに基づく閉塞システムの使用を示す図面である。
【図１５】本発明の一部の実施態様に従った、スノーボード結合器上の図１のカム組立体及びストラップに基づく閉塞システムの使用を示す図面である。
【図１６】本発明の一部の実施態様に従った、手袋上の図１のカム組立体及びストラップに基づく閉塞システムの使用を示す図面である。
【図１７】本発明の一部の実施態様に従った、サンダル上の図１のカム組立体及びストラップに基づく閉塞システムの使用を示す図面である。
【図１８】本発明の一部の実施態様に従った、帯状閉塞部のような靴上の図１のカム組立体及びストラップに基づく閉塞システムの使用を示す図面である。
【図１９】本発明の一部の実施態様に従った、パワーストラップのような靴上の図１のカム組立体及びストラップに基づく閉塞システムの使用を示す図面である。
【図２０Ａ】本発明の一部の実施態様に従った、靴上に図１のカム組立体及びストラップに基づく閉塞システムを備える取り外し可能なストラップに基づく調節メモリの使用を示す図面である。
【図２０Ｂ】本発明の一部の実施態様に従った、靴上に図１のカム組立体及びストラップに基づく閉塞システムを備える取り外し可能なストラップに基づく調節メモリの使用を示す図面である。
【図２０Ｃ】本発明の一部の実施態様に従った、靴上に図１のカム組立体及びストラップに基づく閉塞システムを備える取り外し可能なストラップに基づく調節メモリの使用を示す図面である。
【図２１Ａ】本発明の一部の実施態様に従った、靴上に図１のカム組立体及びストラップに基づく閉塞システムを備えるラッチに基づく調節メモリの使用を示す図面である。
【図２１Ｂ】本発明の一部の実施態様に従った、靴上に図１のカム組立体及びストラップに基づく閉塞システムを備えるラッチに基づく調節メモリの使用を示す図面である。
【図２１Ｃ】本発明の一部の実施態様に従った、靴上に図１のカム組立体及びストラップに基づく閉塞システムを備えるラッチに基づく調節メモリの使用を示す図面である。
【図２２】本発明の一部の実施態様に従った、図１のカム組立体及びストラップに基づく閉塞システムを備える急速解放及び／又は迅速挿入を実施するための一組の構成部品を示す図面である。
【発明を実施するための形態】
【００２６】
多数の技術的詳細がこの記載中に示される。これらの詳細は本発明の一部の実施態様を例証するために提供され、本発明を限定することは意図されていない。よって、開示されるシステムの何れかの具体的な機能、特徴、又は、構成部品が本発明に本質的であることを暗示することは、この詳細な記載において意図されていない。
【００２７】
図１は、本発明の一部の実施態様に従った、螺旋を使用したカム組立体及びストラップに基づく閉塞システムを実施するための一組の構成部品を、斜視から例証している。この図面に描写されるように、カム組立体３０は、ハウジング４４、ノブ４２、カム４０、及び、トラックインサート４６を含み得る。カム組立体３０及びハウジング４４は、ストラップを受け入れるように構成され得る。「ストラップ」という用語は、広義の用語並びにその普通の意味を定めることが意図される。同様に、「カム組立体」という用語は、広義の用語並びにその普通の意味を定めることが意図される。カム組立体３０及びストラップ４８は、様々なプラスチック、金属、複合材、ポリマ、及び、合金を含む、多数の材料から成り得る。例証される実施態様において、ハウジング４４は、ハウジング４４の内側に位置付けられるトラックインサート４６を有する。ストラップ４８が内向き及び外向きの方向の両方に移動することを許容するようにトラックインサート４６を構成し得る。ハウジング４４は、第一開口５０及び第二開口５２を有し、それらも同様に内向き及び外向きの両方の方向に移動するストラップ４８を受け入れるように構成され得る。一部の実施態様では、トラックインサート４６をハウジング４４と一体的に形成し得る。
【００２８】
図１に更に描写されるように、カム組立体３０は、ノブ４２及びカム４０を有する。一部の実施態様では、カム４０が正しく位置付けられ、ノブ４２がカム４０の上に位置付けられるや否や、係止機構を使用して、カム及びノブを共にスナップ留めし得る。代替的に、カム４０及びノブ４２を一体に接着し得るし、一体に縫い合わせ得るし、３つ又はそれよりも多くの構成部品に分割し得るし、単一の構成部品とし得るし、或いは、他の取付け手段を使用し得る。
【００２９】
ストラップ４８は、１つ又はそれよりも多くのストラップピン６０を含み得る。一部の実施態様において、ストラップピン６０は、木材、金属、又は、プラスチックの尖頭片であり得る。一部の実施態様において、ストラップピン６０は、短いロッドであり得る。一部の実施態様において、ストラップピン６０は、突起、歯溝、通路、及び／又は、他の変形及び組み合わせであり得る。
【００３０】
図２Ａ、２Ｂ、及び、２Ｃは、本発明の一部の実施態様に従った、図１のカム組立体３０及びストラップ４８に基づく閉塞システムを、側部、頂部、及び、底部から例証している。図２Ａの側面図に描写されるように、ノブ４２を１つの方向に回転することによって、ストラップ４８は、第一開口５０を通じてカム組立体３０内に引き入れられ、トラックインサート４６（この図面からは見えない）上に進み、第二開口５２を通り、ハウジング４４から外に出ることができる。図２Ａに更に描写されるように、ノブ４２を他の方向に回転させることによって、ストラップ４８は、トラックインサート４６（この図面からは見えない）を通じて引き戻され、第一開口５０を通り、ハウジング４４から外に出ることができる。ストラップピン６０がカム４０と係合するとき、ストラップ４８はカム組立体３０を通じて駆動される。
【００３１】
図２Ｂの頂面図に更に描写されるように、一部の実施態様において、カム４０は、ノブ４２の内側に位置する。その場合には、第一開口５０を通じてカム組立体３０内にストラップ４８を駆動し、第二開口５２から出すよう、ノブ４２を回転し得る。
【００３２】
図２Ｃの底面図に描写されるように、一部の実施態様において、トラックインサート４６は、ハウジング４４の内側に位置するよう位置付けられる。その場合には、カム４０は、ハウジング４４の上でトラックインサート４６より上に位置するよう位置付けられる。カムは、カム組立体３０を通じてストラップ４８上のストラップピン６０を引っ張らせる１つ又はそれよりも多くのカム螺旋４１を含み得る。
【００３３】
図３Ａ、３Ｂ、３Ｃ、及び、３Ｄは、本発明の一部の実施態様に従った図１のカムを、頂部、底部、及び、斜視から例証している。図３Ａの頂面図に描写されるように、カムは、頭頂部４７を有し得る。頭頂部４７は、カム４０に適合されるノブ４２上の１つ又はそれよりも多くの通路又は溝内に配置され、カム４０がノブ４２に付着することを可能にする。一部の実施態様では、カム４０が正しく位置付けられ、ノブ４２がカム４０の上に位置付けられるや否や、カム及びノブは、係止機構を使用して共にスナップ留めされるよう構成される。代替的に、カム４０及びノブ４２を一体に接着させ得るし、３つ又はそれよりも多くの構成部品に分割し得るし、或いは、単一の構成部品にし得る。
【００３４】
図３Ｂ及び３Ｃの底面図及び斜視図に更に描写されるように、一部の実施態様において、カム４０は、１つ又はそれよりも多くのカム螺旋を含む。その場合には、第一開口５０を通じてストラップ４８をカム組立体３０内に駆動し、第二開口５２から出すよう、ノブ４２を回転し得る。一部の実施態様において、カム螺旋４１は、等角螺旋としても既知の対数螺旋の形状である。一部の実施態様では、アルキメデス螺旋を含む他の種類の螺旋を使用し得る。一部の実施態様では、２つ、３つ、４つ、又は、それよりも多くのカム螺旋４１を使用し得る。ストラップ４８が挿入される速度を増大するために、カム螺旋４１の数を増大することを使用し得る。閉塞が大きい用途において、これは特に有用であり得る。
【００３５】
カム螺旋４１の使用は、ストラップ４８が特定の接触角でカム組立体３０内に自動係止することを許容し得る。対数螺旋は、ストラップ４８上のストラップピン６０が線速度及び一定の接触角で引っ張られることを可能にし得る。摩擦係数を異ならせ、システムを自動係止とするために、異なる材料も使用し得る。自動係止は、外向きの力及び／又は内向きの力がカム４０及び／又はストラップ４８に加えられるとき、ストラップ４８がカム組立体３０内で同じ位置に留まることを可能にし得る。対数カム螺旋が使用されるとき、ストラップ４８上のストラップピン６０と一定の接触角を維持することができ、その結果、無限に調節可能な自動係止システム、及び、ノブ４２によって感知されるトルクが一定であり得る自動係止システムがもたらされる。しかしながら、例えば、接触角を連続的に減少させることによって、接触角を変更するためにアルキメデス螺旋を使用し得る。
【００３６】
接触角４５及びカム４０上のカム螺旋４１の周縁に加えられる摩擦によって自動係止機構を決定し得る。接触角４５は、ストラップピン６０に対して接線方向の線とカム螺旋４１との間の角度に対応し得る。一部の実施態様において、自動係止機構の接触角４５は、約２０度未満、及び、約１５度未満であり得る。一部の自動係止機構において、接触角は、約１０度と約１２度との間である。低い接触角は、カム組立体３０が自動係止であり且つ内向き及び外向きの両方において連続的に調節可能であることを可能にし得る。所望の巻きの速度及び出力に依存して、様々な接触角を生成し得る。より大きい接触角は、より速い挿入速度をもたらし得る。カム４０の回転に抗するために、他の二次的な摩擦素子も加え得る。一部の実施態様において、これらの二次的な摩擦素子は、位置の無限の可変性を維持するよう、「無段」であり得る。
【００３７】
図４Ａ及び４Ｂは、本発明の一部の実施態様に従って、図１のストラップ４８を、斜視及び頂部から例証している。ストラップ４８は、１つ又はそれよりも多くのストラップピン６０を含む。ストラップピン６０は、例証されているように、ストラップ４８の表面から延びる円筒の形状であり得る。一部の実施態様では、このストラップピン６０は、ストラップ４８に対して垂直又は他の角度であり得るリベット、歯、ネジ、螺旋、螺旋ネジ、スロット、ストリップ、通路、及び／又は、溝を含む、他の形状であり得るが、それらに限定されない。一部の実施態様において、カム４０は、相補的な形態のカム螺旋４１及び／又はストラップピン６０の形状と相補的であり或いは対応し得る表面を有し得る。
【００３８】
一部の実施態様では、第一ストラップピンがカム４０を飛び越えることを可能にするよう、ストラップ４８はカム組立体挿入端部６３に最も近い第一ストラップピン上に面取り６２を有し得る。面取り６２は、約４５度を含む、ある範囲の角度にあり得る。カム４０及びストラップ４８が機能し続けることを保証するために、面取り６２はカム４０とストラップ４８との間の係合も維持し得る。一部の実施態様において、面取り６２は、ストラップ４８のカム組立体挿入端部６３から最も遠い最終ストラップピンを含む、他のストラップピン６０の上にあり得る。一部の実施態様において、第一ストラップピンの上にあることに加えて、或いは、第一ストラップピンの上にあることの代わりに、面取り６２を最終ストラップピンの上に含め得る。
【００３９】
一部の実施態様において、最終ストラップピン上の面取り６２は、他のストラップピン上の面取り６２の反対方向に面し得る。最終ストラップピン上の面取り６２は、カム螺旋４１がストラップ４８をカム組立体３０内に更に引き込むことを阻止し得る。一部の実施態様において、第一ストラップピン上の面取り６２は、ストラップ４８がカム組立体３０から外にこれ以上押し出されないようにし得るし、且つ／或いは、最終ストラップピン上の面取り６２は、ストラップ４８がカム組立体３０内にこれ以上引き込まれることを阻止し得る。
【００４０】
一部の実施態様では、以下により詳細に記載される硬化ストップを、面取り６２の代替として、且つ／或いは、面取り６２との組み合わせで使用し得る。一部の実施態様では、硬化ストップ６７を第一ストラップピン及び／又は最終ストラップピンの近くに配置し得る。一部の実施態様において、最終ストラップピン上の面取り６２と共に使用されるとき、硬化ストップ６７は、孔６６を含まなくてもよい。一部の実施態様において、ストラップ４８に加えられる圧力に拘わらず、これはストラップ４８がカム組立体３０を圧縮し且つカム組立体３０内に入ることを阻止し得る。
【００４１】
図４Ａ及び４Ｂに更に描写されるように、ストラップ４８は、カム組立体挿入端部６３を有し、カム組立体挿入端部６３は、カム組立体３０内に直接的に挿入されるストラップ４８の端部にある。ストラップ４８は、挿入後にカム組立体３０から完全に取り外されることに抗するよう構成され得る。一部の実施態様において、この抵抗は、硬化ストップ６７によって提供され得る。一部の実施態様において、硬化ストップ６７は、十分な力を条件として克服され得る可変ストップであり得る。一部の実施態様では、硬化ストップ６７は、第一ストラップピン付近、最終ストラップピン、他のストラップピン付近に配置され得るし、且つ／或いは、多数の硬化ストップが使用され得る。
【００４２】
硬化ストップ６７は、孔６６と、１つ又はそれよりも多くの外向き突起６４とを含み得る。孔６６は外向き突起６４がストラップ４８の軸方向の中心線に向かって圧縮されることを許容し、ストラップ４８がカム組立体３０のハウジング４４内に挿入されることを許容し得る。緩やかにテーパを付けられた前縁６４ａは、ストラップ４８が比較的容易にハウジング４４に入ることを可能にする。より急勾配にテーパ付けられた後縁６４ｂは、ハウジング４４からストラップ４８を取り外すことをより困難にする。一部の実施態様において、後縁６４ｂはハウジング４４上でストラップ４４を捕捉し、ストラップがハウジング４４から抜け落ちることを防止し得るし、引き戻されるべき位置、即ち、ノブ４２が締付け方向に回転されるや否や、第一ストラップピンがカム螺旋４１によって係合されるべき位置にあるような位置にストラップを残し得る。一部の実施態様において、ストラップ４８をハウジング４４から外に引き出すために、十分な力が使用されるならば、外向き突起６４は孔６６内で一時的に潰れ、ストラップ４８を取り外し得る。
【００４３】
図５Ａ、５Ｂ、及び、５Ｃは、本発明の一部の実施態様に従って、図１のトラックインサート４６を、斜視、頂部、及び、側部から例証している。トラックインサート４６は、トンネル７２を有し、トンネル７２は、ストラップ４８がトンネル７２を通過するときに、ストラップ４８をカム４０から離れる方向に引っ張る。一部の実施態様において、トラックインサート４６は、ストラップ４８を案内し、前方縁部７０に沿ってストラップ４８をカム４０と係合させるが、次に、後方縁部７４上でストラップ４８を離す。一部の実施態様において、カム螺旋４１がハウジング４４内のストラップピン６０の数に対してストラップ４８上のストラップピン６０の減少された数において係合されるよう、トラックインサート４６はカム４０から離れる方向にストラップ４８を引っ張る。一部の実施態様において、任意の所与のときに係合されるストラップピン６０の数は、１又は２である。この案内構成部品又は反返り機構は、ストラップピン６０がカム４０のカム螺旋４１を離すことを可能にするトンネル及び／又はＳ形状屈曲及び／又は円弧であり得る。一部の実施態様において、ストラップ４８がハウジング４４を通じて延びるときに、全部よりも少ないカム螺旋４１がストラップピン６０と係合するよう、ストラップピン６０はカム螺旋４１から離れる方向に案内される。
【００４４】
一部の実施態様において、ストラップピン６０がカム４０の後側で係合しないよう、案内構成部品はカム４０から離れる方向にストラップ４８を引っ張る。一部の実施態様において、案内構成部品は、システムが動かなくなることを防止し、且つ／或いは、最大保持強度のためにカム４０と平行にストラップを導くことによって、システムを強化し得る。一部の実施態様において、ストラップ４８によってカム組立体３０にかけられる荷重は、カム組立体３０に対して平行に或いは接線方向に応力をかける剪断荷重であり得る。案内構成部品は、ハウジング４４の可能な最低の高さ及び／又はプロファイルをもたらす点で特に有用である。案内構成部品は、ストラップ４８がカム４０に引っかからずにカム組立体３０内に送り込まれることも可能にし得る。
【００４５】
図６Ａ、６Ｂ、６Ｃ、及び、６Ｄは、本発明の一部の実施態様に従って、図１のハウジング４４を、斜視、側部、頂部、及び、側部から例証している。ハウジング４４は、第一開口５０及び第二開口５２を有し、それらは内向き及び外向きの両方の方向に移動するストラップ４８を受け入れるように構成される。例証される実施態様において、ハウジング４４は、円形開口８０を有し、円形開口８０は、トラックインサート４６がハウジング４４の内側に位置付けられることを可能にする。円形開口８０は円の形状である必要はなく、正方形、楕円形、又は、三角形を含む他の形状であってもよい。一部の実施態様では、係止機構、接着剤、又は、当業者に既知の他の任意の取付け機構又は方法を使用して、カム４０及びノブ４２を互いに取り付け得る。次に、ノブ４２及びカム４０は、トラックインサート４６より上に並びにハウジング４４の上に位置するよう、ハウジング４４の円形開口８０内に位置付けられる。次に、第一開口５０を通じてストラップ４８を駆動し、トラックインサート４６上に進み、ハウジング４４の第二開口から出るようにノブ４２を回転し得る。
【００４６】
図６Ａ、６Ｂ、６Ｃ、及び、６Ｄに更に描写されるように、一部の実施態様において、ハウジング４４は、Ｓ形状屈曲及び／又は円弧であり得る屈曲部８６を有する。屈曲部８６は、トラックインサート４６の反返り機構の形状と一致し得る。屈曲部８６はハウジング４４の可能な最低の高さ及び／又はプロファイルをもたらす点で特に有用である。一部の実施態様では、用途に基づいてハウジング４４の形状を調節し得る。一部の実施態様において、ハウジング４４の形状は、Ｓ形状又は円弧よりも平坦又は曲線的であり得る。
【００４７】
図７は、本発明の一部の実施態様に従って、図１のノブ４２を斜視から例証している。ノブ４２は、オーバーモールド９２及びアンダーモールド１００を有する。一部の実施態様では、アンダーモールド１００が正しく位置付けられ、オーバーモールド９２がアンダーモールド１００の上に位置付けられるや否や、係止機構を使用して、オーバーモールド９２及びアンダーモールド１００を共にスナップ留めし得る。代替的に、アンダーモールド１００及びオーバーモールド９２を一体に接着し得るし、３つ又はそれよりも多くの構成部品に分割し得るし、或いは、単一の構成部品とし得る。
【００４８】
図７に更に描写されるように、一部の実施態様において、ノブ４２は、カム開口９０を有する。カム開口９０は、カム４０がノブ４２の内側に位置することを可能にする。カム開口９０は、如何なる特定の形状である必要もなく、円形、正方形、楕円形、又は、三角形を含む如何なる形状の形態であってもよい。組み立てられるや否や、ストラップ４８を第一開口５０を通じて駆動し、カム組立体３０内に進め、第二開口５２から出すために、ノブ４２を回転し得る。
【００４９】
図８は、本発明の一部の実施態様に従って、図７のノブ４２を底部から例証している。一部の実施態様において、オーバーモールド９２は、１つ又はそれよりも多くのオーバーモールド歯９４も有する。一部の実施態様において、アンダーモールド１００がオーバーモールド９２の１つ又はそれよりも多くのオーバーモールド溝又は通路９６に適合される対応する歯を有するとき、オーバーモールド９２は、オーバーモールド９２及びアンダーモールド１００が共にスナップ留めされ且つ一体化されることを可能にする。一部の実施態様において、オーバーモールド９２はカム開口９０を有し、カム開口９０は異なる設計及び色が使用されることを可能にし得る。他のカム開口におけるように、カム開口は、円形、正方形、楕円形、又は、三角形を含む任意の形状の形態であり得る。一部の実施態様において、オーバーモールド９２は、カム開口９０を含まない。
【００５０】
図９Ａ及び９Ｂは、本発明の一部の実施態様に従って、図７のノブ４２のアンダーモールド１００を斜視及び頂部から例証している。一部の実施態様において、アンダーモールド１００はカム開口９０を有し、カム開口９０はカム４０がノブ４２の内側に位置することを可能にする。前述されたように、カム開口９０は、円形、正方形、楕円形、又は、三角形を含む任意の形状の形態であり得る。一部の実施態様において、アンダーモールド１００は、１つ又はそれよりも多くのアンダーモールド歯１０２も有する。一部の実施態様において、オーバーモールド９２がアンダーモールド１００の１つ又はそれよりも多くのアンダーモールド溝又は通路１０８に適合される対応するオーバーモールド歯９４を有するとき、アンダーモールド１００は、アンダーモールド１００及びオーバーモールド９２が共にスナップ留めされ且つ一体化されることを可能にする。上記されたように、一部の実施態様において、オーバーモールド９２は、予め成形されたアンダーモールド１００の周りに射出成形され得る。一部の実施態様において、カム４０及びノブ４２は、単一の構成部品、２つの構成部品、オーバーモールド９２、アンダーモールド１００、及び、カム４０のような３つの構成部品、又は、４つ又はそれよりも多くの構成部品であり得る。
【００５１】
図９Ｂの底面図に更に描写されるように、ノブ４２のアンダーモールド１００は、１つ又はそれよりも多くのカム通路又は溝１０６を有し得る。前に議論されたように、一部の実施態様において、カム通路１０６は、カム４０の頂頭部４７の形状に適合され、カム４０がノブ４２に付着することを許容し得る。一部の実施態様では、カム４０が正しく位置付けられ、ノブ４２がカム４０の上に位置付けられるや否や、係止機構又は干渉嵌めを使用して、カム４０及びノブ４２を共にスナップ留めし得る。他の実施態様では、頂頭部はノブ４２上に配置され、通路はカム４０上のノブ頂頭部の形状と一致する。更に代替的に、カム４０及びノブ４２を共に接着し得るし、３つ又はそれよりも多くの構成部品に分割し得るし、単一の構成部品とし得るし、或いは、他の手段を使用して取り付け得る。一部の実施態様において、ノブ４２の一部又は全部の外側縁部は、使用者の手がノブ４２に対して有する牽引力を増大するために、外向き突起又は内向き溝のような摩擦増強機能を含み得る。
【００５２】
図１０Ａ、１０Ｂ、１０Ｃ、１０Ｄ、１０Ｅ、及び、１０Ｆは、本発明の一部の実施態様に従って、図１のストラップ４８が図１のカム組立体３０内に駆動されるときの、図３Ｃのカム螺旋４１と図４Ａのストラップピン６０との係合のフロー図を例証している。アルファベット順に進んで、各図面は後続する時間の段階に亘るカム組立体３０内でのストラップ４８の進行を表している。カム４０のカム螺旋４１は、カム組立体３０内にストラップ４８を駆動し、それらと定角で係合し得る。一部の実施態様では、ストラップ４８をカム組立体３０内で自動的に係止するために、より低い接触角を選択し得る。代替的に、巻取り速度を増大するために、より高い接触角を選択し得る。もしカム組立体３０が自動係止しないならば、使用者が所望の場所でカム組立体３０を係止することを許容するために、ボタン又はレバーのような外部係止を組み込み得る。カム組立体３０が自動係止する一部の実施態様では、内向き及び／又は外向き方向に力が加えられるとき、閉塞システムが所定位置に留まることを保証するために、二次的な係止機構が更に提供される。
【００５３】
図１１Ａ、１１Ｂ、１１Ｃ、１１Ｄ、１１Ｅ、及び、１１Ｆは、本発明の一部の実施態様に従って、図１のストラップ４８が図１のカム組立体３０から外に駆動されるときの、図３Ｃのカム螺旋４１と図４Ａのストラップピン６０との係合のフロー図を例証している。アルファベット順に進ぬで、各図面は後続する時間の段階に亘るカム組立体３０から出るストラップ４８の進行を表している。カム４０のカム螺旋４１は、ストラップ４８を駆動してカム組立体３０から出し、それらと定角で係合し得る。一部の実施態様では、ストラップ４８をカム組立体３０内で自動的に係止するために、より低い接触角を選択し得る。代替的に、巻取り速度を増大するために、より高い接触角を選択し得る。
【００５４】
図１２は、本発明の一部の実施態様に従って、医療ブレース１３０上の図１のカム組立体３０及びストラップ４８に基づく閉塞システムの使用を例証している。この実施態様において、カム組立体３０は、ブレース１３０の第一側部１３２に位置付けられ、ストラップ４８は、ブレース１３０の第二側部１３４に位置付けられている。接着剤、縫合、及び／又は、様々な他の締結装置を使用して、カム組立体３０及びストラップ４８をそれらの夫々の側部に位置付け得る。一部の実施態様では、ノブ４２が回転されるとき、ストラップ４８は、カム組立体３０内に駆動され、ブレース１３０の第一側部１３２及び第二側部１３４は、互いに向かって導かれる。ノブ４２が反対方向に回転されるとき、ストラップ４８は、カム組立体３０から離れる方向に駆動され、ブレース１３０の第一側部１３２及び第二側部１３４は、互いから離れる方向に引っ張られる。
【００５５】
カスタマイズされた張力がブレース１３０に対して加えられることを可能にするために、多数のカム組立体３０及びストラップ４８に基づく閉塞システムを提供し得る。図示されるように、３つのシステムを提供し得る。一部の実施態様では、１つ、２つ、３つ、又は、それよりも多くの組立体を提供し得る。加えて、究極の適合をもたらすために、ここに開示されるカム組立体３０及びストラップ４８システムを他の既知の閉塞システムと共に使用し得る。例えば、１つ又はそれよりも多くのカム組立体３０及びストラップ４８に基づくシステムに加えて、物品を所定位置で部分的に紐締め、ベルクロ（登録商標）留め、或いは、バックル留めし得る。そのような組み合わせシステムの実施例が図１９乃至２１に示されている。
【００５６】
図１３は、本発明の一部の実施態様に従って、パック１４０上での図１のカム組立体３０及びストラップ４８に基づく閉塞システムの使用を例証している。この実施態様において、多数のカム組立体３０は、パック１４０の第一側部１４２に位置付けられ、多数のストラップ４８は、パック１４０の第二側部１４４に位置付けられている。接着剤、縫合、及び／又は、様々な他の締結装置を使用して、カム組立体３０及びストラップ４８をそれらの夫々の側部に位置付け得る。一部の実施態様では、ノブ４２が回転されるとき、ストラップ４８は、カム組立体３０内に駆動され、パック１４０の第一側部１４２及び第二側部１４４は、互いに向かう方向に導かれる。ノブ４２が反対方向に回転されるとき、ストラップ４８は、カム組立体３０から離れる方向に駆動され、パック１４０の第一側部１４２及び第二側部１４４は、互いから離れる方向に引っ張られる。
【００５７】
図１４は、本発明の一部の実施態様に従って、ベルト１５０上の図１のカム組立体３０及びストラップ４８に基づく閉塞システムの使用を例証している。この実施態様において、カム組立体３０は、ベルト１５０の第一側部１５２に位置付けられ、ストラップ４８は、ベルト１５０の第二側部１５４に位置付けられている。接着剤、縫合、及び／又は、様々な他の締結装置を使用して、カム組立体３０及びストラップ４８をそれらの夫々の側部に位置付け得る。一部の実施態様では、ノブ４２が回転されるとき、ストラップ４８は、カム組立体３０内に駆動され、ベルト１５０の第一側部１５２及び第二側部１５４は、互いに向かう方向に導かれる。ノブ４２が反対方向に回転されるとき、ストラップ４８は、カム組立体３０から離れる方向に駆動され、ベルト１５０の第一側部１４２及び第二側部１４４は、互いから離れる方向に引っ張られる。
【００５８】
図１５は、本発明の一部の実施態様に従って、スノーボード結合器１６０上の図１のカム組立体及びストラップに基づく閉塞システムの使用を例証している。この実施態様において、カム組立体３０は、スノーボード結合器１６０の第一側部１６２に位置付けられ、ストラップ４８はスノーボード結合器１６０の第二側部１６４に位置付けられている。接着剤、縫合、及び／又は、様々な他の締結装置を使用して、カム組立体３０及びストラップ４８をそれららの夫々の側部に位置付け得る。一部の実施態様では、ノブ４２が回転されるとき、ストラップ４８はカム組立体３０内に駆動され、スノーボード結合器１６０の第一側部１６２及び第二側部１６４は互いに向かう方向に導かれる。ノブ４２が反対方向に回転されるとき、ストラップ４８は、カム組立体３０から離れる方向に駆動され、スノーボード結合器１６０の第一側部１６２及び第二側部１６４は、互いから離れる方向に引っ張られる。
【００５９】
代替的な実施態様では、ストラップ及びカム組立体を互いに向かう方向に及び／又は互いから離れる方向に引くために、ストラップ４８及びカム組立体３０を２つ又はそれよりも多くの物体に締結し得る。この実施態様では、カム組立体３０は、第一物体上に位置付けられ、ストラップ４８は、第二物体上に位置付けられる。接着剤、縫合、及び／又は、様々な他の締結装置を使用して、カム組立体３０及びストラップ４８をそれらの夫々の側部に位置付け得る。ノブ４２が回転されるとき、ストラップ４８はカム組立体３０内に駆動され、第一物体及び第二物体は互いに向かう方向に導かれる。ノブ４２が反対方向に回転されるとき、ストラップ４８は、カム組立体３０から外に駆動され、第一物体及び第二物体は、互いから離れる方向に引っ張られる。
【００６０】
図１６は、本発明の一部の実施態様に従って、手袋１７０上の図１のカム組立体３０及びストラップ４８に基づく閉塞システムの使用を例証している。この実施態様において、カム組立体３０は、手袋１７０の第一側部１７２に位置付けられ、ストラップ４８は、手袋１７０の第二側部１７４に位置付けられている。接着剤、縫合、及び／又は、様々な他の締結装置を使用して、カム組立体３０及びストラップ４８をそれらの夫々の側部に位置付け得る。一部の実施態様では、ノブ４２が回転されるとき、ストラップ４８は、カム組立体３０内に駆動され、手袋１７０の第一側部１７２及び第二側部１７４は、互いに向かう方向に導かれる。ノブ４２が反対方向に回転されるとき、ストラップ４８は、カム組立体３０から離れる方向に駆動され、手袋１７０の第一側部１７２及び第二側部１７４は、互いから離れる方向に引っ張られる。
【００６１】
図１７は、本発明の一部の実施態様に従って、サンダル１７０上の図１のカム組立体３０及びストラップ４８に基づく閉塞システムの使用を例証している。この実施態様において、カム組立体３０は、サンダル１８０の第一側部１８２に位置付けられ、ストラップ４８は、サンダル１８０の第二側部１８４に位置付けられている。接着剤、縫合、及び／又は、様々な他の締結装置を使用して、カム組立体３０及びストラップ４８をそれらの夫々の側部に位置付け得る。一部の実施態様では、ノブ４２が回転されるとき、ストラップ４８は、カム組立体３０内に駆動され、サンダル１８０の第一側部１８２及び第二側部１８４は、互いに向かう方向に導かれる。ノブ４２が反対方向に回転されるとき、ストラップ４８は、カム組立体３０から離れる方向に駆動され、サンダル１８０の第一側部１８２及び第二側部１８４は、互いから離れる方向に引っ張られる。
【００６２】
図１８は、本発明の一部の実施態様に従って、帯状閉塞部のような靴１９０上の図１のカム組立体３０及びストラップ４８に基づく閉塞システムの使用を例証している。この実施態様では、多数のカム組立体３０が、靴１９０の第一側部１９２に位置付けられ、多数のストラップ４８が、靴１９０の第二側部１９４に位置付けられている。接着剤、縫合、及び／又は、様々な他の締結装置を使用して、カム組立体３０及びストラップ４８をそれらの夫々の側部に位置付け得る。一部の実施態様では、ノブ４２が回転されるとき、ストラップ４８は、カム組立体３０内に駆動され、靴１９０の第一側部１９２及び第二側部１９４は、互いに向かう方向に導かれる。ノブ４２が反対方向に回転されるとき、ストラップ４８は、カム組立体３０から離れる方向に駆動され、靴１９０の第一側部１９２及び第二側部１９４は、互いから離れる方向に引っ張られる。
【００６３】
図１９は、本発明の一部の実施態様に従って、装着者の踝又は踝付近に追加的な閉塞力を適用するパワーストラップのような靴２００上の図１のカム組立体３０及びストラップ４８に基づく閉塞システムの使用を例証している。この実施態様において、カム組立体３０は、靴２００の第一側部２０２に位置付けられ、ストラップ４８は、靴２００の第二側部２０４に位置付けられている。接着剤、縫合、及び／又は、様々な他の締結装置を使用して、カム組立体３０及びストラップ４８をそれらの夫々の側部に位置付け得る。一部の実施態様では、ノブ４２が回転されるとき、ストラップ４８は、カム組立体３０内に駆動され、靴２００の第一側部２０２及び第二側部２０４は、互いに向かう方向に導かれる。ノブ４２が反対方向に回転されるとき、ストラップ４８は、カム組立体３０から離れる方向に駆動され、靴２００の第一側部２０２及び第二側部２０４は、互いから離れる方向に引っ張られる。
【００６４】
図２０Ａ、２０Ｂ、及び、２０Ｃは、本発明の一部の実施態様に従って、靴２１０上の図１のカム組立体３０及びストラップ４８に基づく閉塞システムを備える取外し可能なストラップに基づく調節メモリの使用を例証している。この実施態様において、ノブ４２は無限に調節可能であり、特定の使用のための理想的な適合のための特定の位置にノブを残し得る。カム組立体３０を靴２１０の第一側部２１２に位置付け得る。閉塞システムの反対端部であり得る靴２１０の第二側部２１４にストラップ付着物２１６を位置付け得る。ストラップ付着物２１６は、ストラップ４８に付着する留め金、締め金、又は、フックであり得るし、ストラップ４８から完全に分離可能であり得る。接着剤、縫合、及び／又は、様々な他の締結装置を使用して、カム組立体３０及びストラップ４８をそれらの夫々の側部に位置付け得る。一部の実施態様では、ノブ４２が回転されるとき、ストラップ４８はカム組立体３０内に駆動され、靴２１０の第一側部２１２及び第二側部２１４は、互いに向かう方向に導かれる。ノブ４２が反対方向に回転されるとき、ストラップ４８は、カム組立体３０から離れる方向に駆動され得るし、靴２１０の第一側部２１２及び第二側部２１４は、互いから離れる方向に引っ張られる。
【００６５】
一部の実施態様では、使用者が靴２１０の第二側部２１４上のストラップ付着物２１６を解放するとき、ストラップ４８をストラップ付着部２１６から解放し且つ取り外し得る。次に、ストラップ４８をカム４０内に位置付け得る。よって、カム４０内のストラップ４８の調節又は位置を記憶し或いは保持し得る。この粗移動機構は、幾らかの遊びが、ストラップ付着部２１６による解放のために生成され、閉塞システムが、ストラップ４８を調節するために保持され得る微調整であることを可能にし得る。粗移動機構は、一部の実施態様において、急速な解放及び／又は迅速な挿入のために特に有用であり得る。
【００６６】
図２１Ａ、２１Ｂ、及び、２１Ｃは、本発明の一部の実施態様に従って、靴２２０上の図１のカム組立体３０及びストラップ４８に基づく閉塞システムを備えるラッチに基づく調節メモリの使用を例証している。この実施態様において、ノブ４２は無限に調節可能であり、特定の使用のための理想的な適合のための特定の位置にノブを残し得る。靴２２０の第一側部２２２にカム組立体３０を位置付け得る。閉塞システムの反対端部であり得る靴２２０の第二側部２２４にラッチ２２６を位置付け得る。ラッチ２２６はストラップ４８に付着され得るし、解放可能である。接着剤、縫合、及び／又は、様々な他の締結装置を使用して、カム組立体３０及びストラップ４８をそれらの夫々の側部に位置付け得る。一部の実施態様では、ノブ４２が回転されるとき、ストラップ４８をカム組立体３０内に駆動し得るし、靴２２０の第一側部２２２及び第二側部２２４を互いに向かう方向に導き得る。ノブ４２が反対方向に回転されるとき、ストラップ４８をカム組立体３０から離れる方向に駆動し得るし、靴２２０の第一側部２２２及び第二側部２２４を互いから離れる方向に押し得る。
【００６７】
一部の実施態様では、使用者が靴２２０の第二側部２２４上のラッチ２２６を解放するとき、ストラップ４８は緩められる。次に、ストラップ４８をカム４０内に位置付け得る。よって、カム４０内のストラップ４８の調節又は位置は、記憶され或いは保持される。この粗移動機構は、幾らかの遊びが、ラッチ２２６による解放のために生成され、閉塞システムが、ストラップ４８を調節するために保持され得る微調節であることを可能にし得る。粗移動機構は、一部の実施態様において、急速な解放及び／又は迅速な挿入のために特に有用であり得る。
【００６８】
図２２は、本発明の一部の実施態様に従って、図１のカム組立体３０及びストラップ４８に基づく閉塞システムを備える急速解放及び／又は迅速挿入機構を実施するための一組の構成部品を、側面から例証している。図面に描写されるように、カム組立体３０は、ハウジング４４と、ノブ４２と、カム４０と、トラックインサート４６とを含み得る。カム組立体３０及びハウジング４４は、ストラップ４８を受け入れるように構成される。例証される実施態様において、ハウジング４４は、ハウジング４４の内側に位置付けられるトラックインサート４６を有する。トラックインサート４６は、ストラップ４８が内向き及び外向きの方向の両方に移動することを許容するように構成される。
【００６９】
図２２に描写されるように、カム組立体３０は、ノブ４２及びカム４０を有する。一部の実施態様では、カム４０が正しく位置付けられ、ノブ４２がカム４０の上に位置付けられるや否や、係止機構を使用してカム４０及びノブ４２を共にスナップ留めし得る。代替的に、カム４０及びノブ４２を共に接着し得るし、３つ又はそれよりも多くの構成部品に分割し得るし、或いは、単一の部品とし得る。ストラップ４８は、１つ又はそれよりも多くのストラップピン６０を含み得る。例証される実施態様において、ストラップピン６０は斜面付きである。波形座金２３０及びネジ２３２は、ノブ４２が上向きに引っ張られるとき、カム４０及びカム螺旋４１が上向き方向に引っ張られ、ストラップ４８を離すことを可能にする。「波形座金」という用語は、例えば、バネ、皿バネ座金、及び、杯状バネ座金を含む広義の用語、並びに、その普通の意味を定めることが意図される。代替的な実施態様では、波形座金２３０の代わりにバネを使用し得る。ノブが下向きに押されるとき、カム４０は再びストラップ４８と係合する。一部の実施態様では、ストラップ４８に対してカム４０を付勢するために、弾性インサートを使用し得る。
【００７０】
一部の実施態様では、より速い操作のためにストラップ４８の急速解放及び／又は迅速挿入を許容するようにシステムを構成し得る。カム４０がストラップピン６０と整列されないならば、ノブ４２が回転されるや否や、ストラップピン６０は再係合される。閉塞システムのより速い操作のためにストラップ４８の急速解放及び／又は迅速挿入を促進するために、これは特に有用であり得る。加えて、一部の実施態様では、ノブ４２及び／又はカム４０を解放位置にスナップ留めし、次に、ストラップ４８を駆動する位置に直接的に下向きにスナップ留めし得るよう、システムに回り止めを付け得る。
【００７１】
例証される実施態様では、ストラップ４８が挿入されるとき、カム及びストラップピンが斜面付きカム螺旋４１と一体にされるときにカム４０が斜面付きストラップピン６０の上を飛び越え又は通り越し得るよう、ストラップピン６０の駆動側に斜面に付けることによって、並びに、波形座金２３０を使用することによって、迅速挿入を達成し得る。閉塞システムがゆっくり開放するのを許容するが、ストラップ４８の急速前進又は挿入も許容するために、これは特に有用であり得る。一部の実施態様では、最大強度及び保持のためにストラップピン６０の張力側を約９０度に維持し得る。
【００７２】
代替的な実施態様において、ストラップピン６０の駆動側及びカム螺旋４１は斜面付きであり得る。強度及び安全性のためにシステムに加えられる力を維持するために、これは特に有用である。例えば、所定荷重でのシステムの過荷重を防止するために、ノブ４２及びカム４０は、上向きに飛び出て、ストラップ４８を解放し得る。これは、例えば、ヘルメット用途又は帽子用途において特に有用である。
【００７３】
これらの発明は特定の実施態様及び用途に関して記載されたが、ここに示される機能及び利点の全てをもたらさない実施態様を含む当業者に明らかな他の実施態様及び用途も、本発明の範囲内にある。
【図１】
0005709526.tif 000002
【図２Ａ】
0005709526.tif 000003
【図２Ｂ】
0005709526.tif 000004
【図２Ｃ】
0005709526.tif 000005
【図３Ａ】
0005709526.tif 000006
【図３Ｂ】
0005709526.tif 000007
【図３Ｃ】
0005709526.tif 000008
【図３Ｄ】
0005709526.tif 000009
【図４Ａ】
0005709526.tif 000010
【図４Ｂ】
0005709526.tif 000011
【図５Ａ】
0005709526.tif 000012
【図５Ｂ】
0005709526.tif 000013
【図５Ｃ】
0005709526.tif 000014
【図６Ａ】
0005709526.tif 000015
【図６Ｂ】
0005709526.tif 000016
【図６Ｃ】
0005709526.tif 000017
【図６Ｄ】
0005709526.tif 000018
【図７】
0005709526.tif 000019
【図８】
0005709526.tif 000020
【図９Ａ】
0005709526.tif 000021
【図９Ｂ】
0005709526.tif 000022
【図１０Ａ】
0005709526.tif 000023
【図１０Ｂ】
0005709526.tif 000024
【図１０Ｃ】
0005709526.tif 000025
【図１０Ｄ】
0005709526.tif 000026
【図１０Ｅ】
0005709526.tif 000027
【図１０Ｆ】
0005709526.tif 000028
【図１１Ａ】
0005709526.tif 000029
【図１１Ｂ】
0005709526.tif 000030
【図１１Ｃ】
0005709526.tif 000031
【図１１Ｄ】
0005709526.tif 000032
【図１１Ｅ】
0005709526.tif 000033
【図１１Ｆ】
0005709526.tif 000034
【図１２】
0005709526.tif 000035
【図１３】
0005709526.tif 000036
【図１４】
0005709526.tif 000037
【図１５】
0005709526.tif 000038
【図１６】
0005709526.tif 000039
【図１７】
0005709526.tif 000040
【図１８】
0005709526.tif 000041
【図１９】
0005709526.tif 000042
【図２０Ａ】
0005709526.tif 000043
【図２０Ｂ】
0005709526.tif 000044
【図２０Ｃ】
0005709526.tif 000045
【図２１Ａ】
0005709526.tif 000046
【図２１Ｂ】
0005709526.tif 000047
【図２１Ｃ】
0005709526.tif 000048
【図２２】
0005709526.tif 000049